(57)【要約】【課題】  開閉蓋を開いてポリゴンミラーの反射面の汚れを拭き取る清掃作業を行う場合、ポリゴンミラーが筐体内部に位置しているためサービススタッフはポリゴンミラーの反射面の清掃をし難い。【解決手段】  ポリゴンミラー２０７の設置位置と開口Ａとの位置関係がポリゴンミラー２０７の反射面の少なくとも１つが筐体の外部に露出するように設定されている。【選択図】  図５
2012215646.tif 000002
【特許請求の範囲】
【請求項１】
複数の反射面を備え、光源から出射される光ビームを前記複数の反射面によって偏向する回転多面鏡と、
前記光ビームを前記感光体上に結像させる光学手段と、
前記回転多面鏡及び前記光学手段が取り付けられる保持部材と、前記保持部材に取り付けられることによって前記回転多面鏡及び前記光学手段を防塵する第１のカバーと、を含む筐体と、
前記保持部材または前記第１のカバーに形成される開口、または前記保持部材と前記第１のカバーとによって形成される開口を前記第１のカバーが前記保持部材に取り付けられた状態で開状態または閉状態にし、前記閉状態において前記回転多面鏡及び前記光学手段を防塵する第２のカバーと、を備え、
前記開状態において前記複数の反射面のうちの少なくとも一部が前記筐体から露出するように、前記回転多面鏡の一部が前記開口から前記筐体の外部に突出していることを特徴とする光走査装置。
【請求項２】
前記筐体は、前記回転多面鏡及び前記光学手段が設置される基板と、前記基板から立設し、前記回転多面鏡及び前記光学手段の周囲を囲う前記外壁とを備え、
前記開口は前記外壁に形成されることを特徴とする請求項１に記載の光走査装置。
【請求項３】
前記光学手段は前記回転多面鏡と前記感光体との間の前記光ビームの光路上に配置されるレンズであり、
前記開口は、前記回転多面鏡に関して前記レンズとは反対側の前記外壁に位置することを特徴とする請求項２に記載の光走査装置。
【請求項４】
前記第２のカバーは前記回転多面鏡の回転方向に沿って湾曲する形状であることを特徴とする請求項１乃至３いずれかに記載の光走査装置。
【請求項５】
複数の反射面を備え、光源から出射される光ビームが感光体上を所定の方向に移動するように前記反射面によって前記光ビームを偏向する回転多面鏡と、
前記回転多面鏡と前記感光体との間の前記光ビームの光路上に配置される光学手段と、
前記回転多面鏡及び前記光学手段が取り付けられる底面と前記回転多面鏡及び前記光学手段を囲うように前記底面から立設し、開口が設けられる外壁とを有する保持部材と、前記保持部材に取り付けられることによって前記回転多面鏡及び前記光学手段を防塵する第１のカバーと、を備える筐体と、
前記第１のカバーが前記保持部材に取り付けられた状態で前記開口を開状態または閉状態にし、前記閉状態において前記回転多面鏡及び前記光学手段を防塵する第２のカバーと、を備え、
前記開口は、前記複数の反射面のうち前記開口に最も近接する反射面の長手方向と前記所定の方向とが平行になるように前記回転多面鏡を静止させた場合に、前記開口の開口面と当該反射面とが正対するように前記外壁に形成され、
前記開口は、前記回転多面鏡に関して前記光学手段とは反対側に位置する前記外壁に形成されることを特徴とすることを特徴とする光走査装置。
【請求項６】
前記所定の方向における前記開口の長さは前記回転多面鏡の反射面の長さ以上であることを特徴とする請求項５に記載の光走査装置。
【請求項７】
前記第１のカバーの前記回転多面鏡の回転軸線と交差する位置には前記回転多面鏡の回転を規制する回転規制部材を挿入するための第２の開口が設けられていることを特徴とする請求項５に記載の光走査装置。
【請求項８】
前記回転多面鏡の回転軸の前記第１のカバー側の端面には前記回転規制部材を嵌合させるための切り欠きが設けられていることを特徴とする請求項７に記載の光走査装置。
【請求項９】
前記感光体と、請求項１乃至請求項８のいずれか１項に記載の光走査装置と、前記光ビームが前記感光体上を走査することによって感光体上に形成される静電潜像をトナーによって現像し、前記トナーを記録媒体に転写する画像形成手段と、を備える画像形成装置。
【発明の詳細な説明】
【技術分野】
【０００１】
本発明は電子写真技術を用いた画像形成装置に備えられる光走査装置及びそれを備える画像形成装置に関するものである。
【背景技術】
【０００２】
従来、電子写真方式を用いた画像形成装置は、表面が帯電された感光体を画像情報に応じて光源から出射される光ビームで走査することによって感光体上に潜像を形成する。形成された潜像は現像剤により現像され、現像されたトナー像は紙に転写、定着される。光ビームを走査する光走査装置は、回転多面鏡（ポリゴンミラー）を備える。
【０００３】
近年、これらの画像形成装置において高画質な画像を形成することができる画像形成装置が要求されている。高画質な画像の形成を妨げる一つの要因として、経時によるポリゴンミラーの反射面の汚れが挙げられる。ポリゴンミラーを高速回転させると、光走査装置の内部においてポリゴンミラーの周囲の気圧が低下する。その気圧が低下した空間に光走査装置内に存在する微小な塵埃を含む空気が流れ込む。その塵埃がポリゴンミラーの反射面に衝突し付着する。塵埃が付着すると光の反射率が低くなるため、感光体に到達する光ビームが所望の光量よりも低くなり、画像濃度に影響が生じ、ひいては画像劣化を引き起こす。
【０００４】
それに対して、ポリゴンミラーの反射面を防塵する透明部材をポリゴンミラーに着脱可能にする構成が開示されている（特許文献１参照）。この透明部材によってポリゴンミラーの反射面に塵埃が付着し難くなる。特許文献１に記載の光走査装置の光学箱には防塵カバーが取り付けられており、防塵カバーには開閉蓋が設けられている。透明部材に塵埃が付着した場合、サービススタッフは市場において開閉蓋を開けて透明部材を交換する。開閉蓋が設けられていることによって防塵カバーを取り外すことなく透明部材を交換することができるため、市場において透明部材を交換した場合であってもレンズ、ミラーなどへの塵埃の堆積を抑制することができる。
【０００５】
特許文献１に記載の透明部材をポリゴンミラーに取り付けると、ポリゴンミラー及び透明部材の両方を回転させられるトルクが得られる駆動モータが必要になり、光走査装置の製造コストが高くなる。また、透明部材が必要な分、光走査装置の製造コストが高くなる。そのため、近年では透明部材をポリゴンミラーに取り付けるような構成を採らず、サービススタッフが定期的に行うメンテナンス時に市場においてポリゴンミラーの反射面の汚れをふき取る作業を行うことで、ポリゴンミラーの反射面の汚れによる出力画像の画質の低下を抑制している。
【先行技術文献】
【特許文献】
【０００６】
【特許文献１】特開平６−１４８５５０号公報
【発明の概要】
【発明が解決しようとする課題】
【０００７】
しかしながら、特許文献１に記載されるような開閉蓋を開いてポリゴンミラーの反射面の汚れを拭き取る清掃作業を行う場合、蓋部材の開口のエッジ、光学箱の側壁、及びレンズなどの光学部材が清掃作業の妨げになる。
【課題を解決するための手段】
【０００８】
本発明は上記の課題を鑑みてなされたものであり、本発明の光走査装置は、複数の反射面を備え、光源から出射される光ビームを前記複数の反射面によって偏向する回転多面鏡と、前記光ビームを前記感光体上に結像させる光学手段と、前記回転多面鏡及び前記光学手段が取り付けられる保持部材と、前記保持部材に取り付けられることによって前記回転多面鏡及び前記光学手段を防塵する第１のカバーと、を含む筐体と、前記保持部材または前記第１のカバーに形成される開口、または前記保持部材と前記第１のカバーとによって形成される開口を前記第１のカバーが前記保持部材に取り付けられた状態で開状態または閉状態にし、前記閉状態において前記回転多面鏡及び前記光学手段を防塵する第２のカバーと、を備え、前記開状態において前記複数の反射面のうちの少なくとも一部が前記筐体から露出するように、前記回転多面鏡の一部が前記開口から前記筐体の外部に突出していることを特徴とする。
【０００９】
また、本発明の光走査装置は、複数の反射面を備え、光源から出射される光ビームが感光体上を所定の方向に移動するように前記反射面によって前記光ビームを偏向する回転多面鏡と、前記回転多面鏡と前記感光体との間の前記光ビームの光路上に配置される光学手段と、前記回転多面鏡及び前記光学手段が取り付けられる底面と前記回転多面鏡及び前記光学手段を囲うように前記底面から立設し、開口が設けられる外壁とを有する保持部材と、前記保持部材に取り付けられることによって前記回転多面鏡及び前記光学手段を防塵する第１のカバーと、を備える筐体と、前記第１のカバーが前記保持部材に取り付けられた状態で前記開口を開状態または閉状態にし、前記閉状態において前記回転多面鏡及び前記光学手段を防塵する第２のカバーと、を備え、前記開口は、前記複数の反射面のうち前記開口に最も近接する反射面の長手方向と前記所定の方向とが平行になるように前記回転多面鏡を静止させた場合に、前記開口の開口面と当該反射面とが正対するように前記外壁に形成され、前記開口は、前記回転多面鏡に関して前記光学手段とは反対側に位置する前記外壁に形成されることを特徴とすることを特徴とする。
【発明の効果】
【００１０】
請求項１の光走査装置によれば、回転多面鏡の反射面のうちの少なくとも１つが筐体の外部に位置するため、開口を開状態にすることによって容易に回転多面鏡の反射面の清掃を行うことができる。
【００１１】
また、請求項５の光走査装置によれば、前記開口の開口面と当該反射面とが正対するため、開口を開状態にすることによって容易に回転多面鏡の反射面の清掃を行うことができる。
【図面の簡単な説明】
【００１２】
【図１】画像形成装置の概略断面図。
【図２】実施例１に係る光走査装置の斜視図（ａ）及び上面図（ｂ）。
【図３】実施例１に係る光走査装置の部分拡大図。
【図４】ポリゴンミラー及びポリゴンミラーを回転駆動する駆動装置の拡大図。
【図５】実施例１に係る光走査装置のポリゴンミラー周辺部の部分断面図。
【図６】実施例２に係る光走査装置の斜視図。
【図７】実施例２に係る光走査装置のポリゴンミラー周辺部の部分断面図。
【図８】実施例２に係る光走査装置の変形例の斜視図。
【図９】実施例３に係る光走査装置の斜視図。
【図１０】実施例３に係る光走査装置のポリゴンミラー周辺部の部分断面図。
【図１１】実施例３に係る光走査装置の変形例の斜視図。
【発明を実施するための形態】
【００１３】
（実施例１）
以下、本実施例に係る光走査装置及びそれを備える画像形成装置を図面に則して詳しく説明する。
【００１４】
図１は、光走査装置１００を備える電子写真方式の画像形成装置の一例を示す要部概略断面図である。感光体であるところの感光ドラム１０１は矢印Ｘ方向に一定速度で回転する。感光ドラム１０１は、帯電装置１０２により表面が帯電され、帯電された感光ドラム１０１は光走査装置１００から出射される光ビームによって露光される。光ビームに露光されることによって感光ドラム１０１上には静電潜像が形成される。この静電潜像は現像装置１０３によりトナー像として現像される。その後、転写装置１０４によってトナー像が感光ドラム１０１上から矢印Ｙ方向に搬送される紙などの記録媒体Ｓ上へ転写される。記録媒体Ｓ上のトナー像は、記録媒体Ｓが図示しない定着装置を通過することによって記録媒体Ｓに定着される。記録媒体Ｓに転写されずに感光ドラム１０１上に残留したトナーはクリーニング装置１０５によって感光ドラム１０１から除去される。
【００１５】
図２を用いて光走査装置１００について説明する。図２（ａ）は本実施例の画像形成装置に備えられる光走査装置１００の斜視図、図２（ｂ）は上面図である。図２（ａ）に示すように、光走査装置１００を構成するレンズやミラーなどの光学部材（後述）は箱状の保持部材２０１（以下、光学箱２０１）に取り付けられる。光学箱２０１は主に底面とその底面から立設する複数面の側壁（外壁）によって構成され、光学部材は光学箱２０１の底面に設置される。外壁は光学箱２０１の底面に設置された各光学部材を取り囲む。
【００１６】
光学箱２０１には光学部材を防塵するための第１のカバーであるカバー２０２がビスによって取り付けられる。以下の説明においては、カバー２０２が光学箱２０１に取り付けられた状態で光走査装置１００の筐体が構成されるものとする。
【００１７】
光学箱２０１には板バネ２０１ａ及び２０１ｂが設けられている。光走査装置１００が画像形成装置本体に取り付けられた状態において、板バネ２０１ａと板バネ２０１ｂが画像形成装置本体と光学箱２０１とによって圧縮される。それによって光走査装置１００は画像形成装置本体に固定される。また、このような固定方法を採用することによって光走査装置１００のメンテナンス時に画像形成装置本体から光走査装置を取り外し易いという効果が得られる。
【００１８】
図３はカバー２０３が取り付けられる部分の拡大図である。図３に示すように、筐体の外壁のポリゴンミラー２０７に最も近接する部分には開口Ａ（点線で囲まれた部分、第１の開口）が設けられている。開口Ａは第２のカバーであるカバー２０３によって閉塞される。カバー２０３はビスによって光学箱２０１に取り付けられる。
【００１９】
図３に示すようにカバー２０３は、カバー２０２が光学箱２０１に取り付けられた状態で筐体から取り外し可能である。カバー２０３が筐体に取り付けられた状態で開口Ａは閉状態となり、取り外された状態で開口Ａは閉状態となる。なお、カバー２０３は筐体から取り外し可能な構成にせず、ドアのような開口Ａを開状態・閉状態にできる構成でも良い。
【００２０】
光学箱２０１とカバー２０２及びカバー２０３との間にはシール部材としてのゴムなどの弾性部材が挟まれている。挟まれたゴムは、カバー２０２及びカバー２０３が光学箱２０１によって圧縮されるため、光学箱２０１とカバー２０２との間の隙間、及び光学箱２０１とカバー２０３との間の隙間が、圧縮されることによって変形したゴムによって閉塞される。従って、光学箱２０１にカバー２０２及びカバー２０３が取り付けられた状態では光走査装置１００は塵埃が入りにくい密閉状態となる。
【００２１】
図２（ｂ）に戻り、光走査装置１００についてさらに説明する。図２（ｂ）は、光学箱２０１からカバー２０２及び２０３を取り外した状態の光走査装置１００の上面図である。光走査装置１００は、光ビーム（以下、レーザ光）を出射する光源であるところの半導体レーザ２０４を備える。半導体レーザ２０４から出射されたレーザ光は、コリメータレンズ２０５によって略平行光束もしくは収束光束に変換される。コリメータレンズ２０５を通過したレーザ光は、シリンドリカルレンズ２０６を通過して回転多面鏡２０７（以下、ポリゴンミラー２０７）に到達する。ポリゴンミラー２０７は複数の反射面を備え、後述する駆動装置によって回転駆動される。レーザ光は回転駆動されるポリゴンミラー２０７の複数の反射面のうちのいずれかに入射する。回転するポリゴンミラー２０７にレーザ光が入射することによって、レーザ光は感光ドラム１０１上を所定の方向に移動する走査光に変換される。ここで、所定の方向とはドラム回転軸方向と略平行な方向であり、図２に示す主走査方向に一致する。
【００２２】
ポリゴンミラー２０７の反射面によって偏向されたレーザ光は、光学部材であるところのｆθレンズ２０８、２０９に入射する。ｆθレンズ２０８、２０９を通過することによってレーザ光は感光ドラム１０１上を等速に移動する。ｆθレンズ２０９を通過したレーザ光は反射ミラー１１３によって偏向され、感光ドラム１０１上に結像する。
【００２３】
図４は、ポリゴンミラー２０７を回転駆動する駆動装置の構成の一例を示した図である。ポリゴンミラー２０７を回転させる駆動モータ４０１は、駆動モータ４０１を駆動する駆動回路４０２を搭載した駆動基板４０３に位置決めボス４０１ａをカシメ加工などで接合することによって基板と一体化されている。この位置決めボス４０１ａには軸受けが嵌合または一体化されており、この軸受けで駆動モータ４０１のローター部４０１ｂの回転軸４０１ｃを受けている。ポリゴンミラー２０７とローター部４０１ｂとは回転軸４０１ｃに固定され、かつポリゴンミラー２０７は上部から板バネなどでローター部４０１ｂに押圧されている。そのため、ローター部４０１ｂが回転するとポリゴンミラー２０７も同一方向に回転する。位置決めボス４０１ａは、光学箱２０１の底面に一定精度で設けられた位置決め穴４０４に挿入される。それによって駆動モータ４０１の回転軸４０１ｃの位置精度が確保される。
【００２４】
光学箱２０１の底面には、一定精度で形成されたボス４０５、４０６、４０７、４０８が設けられている。ボス４０５、４０６、４０７、４０８の内径には雌螺子が形成されており、駆動基板４０３側の固定用穴４０９、３１０、３１１、３１２を通して螺入したビスがボス４０５、４０６、４０７、４０８に締結されることによって駆動モータ４０１を搭載した駆動基板４０３が光学箱２０１に固定される。
【００２５】
図５（ａ）及び（ｂ）は、ポリゴンミラー２０７周辺の拡大断面図である。図５（ａ）は光学箱２０１にカバー２０３を取り付けた状態を、図５（ｂ）は光学箱２０１からカバー２０３を取り外した状態を示している。
【００２６】
図５（ａ）、（ｂ）及び図２に示すように、ポリゴンミラー２０７は、ポリゴンミラー２０７の正多角形に内設する内接円（五角形の内接円）の一部が開口Ａから突出するように光学箱２０１の基板上に設置される。即ち、ポリゴンミラー２０７の設置位置と開口Ａとの位置関係がポリゴンミラー２０７の反射面の少なくとも１つが筐体の外部に露出するように設定されている。このとき、ポリゴンミラー２０７の少なくとも１つの反射面の全部が筐体の外部に露出する構成でも良いし、その一部が筐体の外部に露出するような構成でも良い。少なくとも１つの反射面の一部が露出する構成であっても、反射面は開口Ａに近接した位置にあることになるため、清掃をし易い構成であることに変わりはない。また、駆動モータ４０１のローター部４０１ｂの一部も筐体外部に位置するように開口Ａは筐体に形成されている。
【００２７】
サービススタッフは、テストパターンの出力結果に基づいてポリゴンミラー２０７の反射面の清掃が必要か否を判断し、清掃が必要な場合には図５（ａ）の状態からカバー２０３を光学箱２０１から取り外し図５（ｂ）の状態にする。このとき、サービススタッフはカバー２０２を光学箱２０１から取り外さない。次に、サービススタッフは、開口Ａから突出したローター部４０１ｂの一部を指で押さえることによって反射面が清掃し易いようにポリゴンミラー２０７を固定し、アルコールなどを染み込ませた不織布によって図中の矢印Ｚ方向から筐体外部に位置する反射面の拭き取り作業を行う。その後、サービススタッフは、指でローター部４０１ｂを回転させて筐体内部に位置している反射面を筐体外部に移動させ、再びローター部４０１ｂを指で押さえることによって抑えることによってポリゴンミラー２０７を固定し、同様に筐体外部に位置する反射面の拭き取り作業を行う。
【００２８】
従来、ポリゴンミラーの反射面の清掃は光学箱全体を覆う１枚のカバーを取り外して光学部材すべてを露出した状態で行わなければならなかった。しかしながら、本実施例のように開口Ａ及びカバー２０３を備える光走査装置１００ではポリゴンミラー２０７の反射面を清掃する際にはカバー２０３のみを取り外せばポリゴンミラー２０７の少なくとも一部が光走査装置１００の外部空間に露出するため、ポリゴンミラー２０７の反射面の清掃を行うことができる。そのため、サービススタッフは反射面の汚れを容易に拭き取ることができる。
【００２９】
開口Ａはポリゴンミラー２０７に関してレンズや反射ミラーが配置される側とは反対側の外壁に設けられている。そのため、清掃時にサービススタッフが誤ってレンズや反射ミラーに触れる可能性が低い。
【００３０】
なお、本実施例では、開口Ａが光学箱２０１に設けられている装置を例に説明を進めたが、開口Ａはカバー２０２に設けられていても良い。また、開口Ａが光学箱２０１の外壁に切り欠きが設けられていて、カバー２０２が光学箱２０１に取り付けられることによって形成される開口でも良い。
【００３１】
以上説明したように、本実施例の光走査装置１００は、ポリゴンミラー２０７の反射面の少なくとも１つが開口から筐体の外部に突出する構成となっているため、カバー２０２を光学箱２０１に取り付けた状態でカバー２０３を取り外すことによって、レンズ及び反射ミラーを露出させることなくポリゴンミラー２０７の反射面の清掃を容易に行うことができる。
【００３２】
（実施例２）
図６から図８を用いて光走査装置の変形例について説明する。なお、図中において実施例１と同一機能を果たす部材については同一符号を付している。
【００３３】
本実施例における光走査装置１００の光学箱６０１には、図６（ａ）に示すカバー６０２、及び６０３（図６（ｃ）参照）が取り付けられる。カバー６０２は実施例１のカバー２０２に対応し、カバー６０３は実施例１のカバー２０３に対応する。光学箱６０１には、カバー６０３の位置決めガイドとなるレール６０４及び６０５が設けられている。
【００３４】
カバー６０３はカバー６０２が光学箱６０１に取り付けられた状態で光学箱６０１から取り外し可能である。
【００３５】
カバー６０２が光学箱６０１に取り付けられた状態において図６（ｂ）に示す開口Ｂが形成される。カバー６０３は開口Ｂを閉塞することによって光学部材を防塵する。カバー６０３を光学箱６０１から取り外すと、ポリゴンミラー２０７が筐体外部に露出する。実施例１と異なり、本実施例の構成はポリゴンミラー２０７の回転軸方向上側も露出されるのでサービススタッフは実施例１の構成よりもポリゴンミラー２０７の清掃をし易い。
【００３６】
図７（ａ）及び（ｂ）は、ポリゴンミラー２０７周辺の拡大断面図である。サービススタッフは、清掃が必要と判断した場合、図７（ａ）の状態からカバー６０３を光学箱６０１から取り外し図７（ｂ）の状態にする。このとき、サービススタッフはカバー６０２を光学箱６０１から取り外さない。次に、サービススタッフはローター部４０１ｂの一部を指で押さえることによって反射面が清掃し易いようにポリゴンミラー２０７を固定し、アルコールなどを染み込ませた不織布によって反射面の拭き取り作業を行う。本実施例の構成によれば図７（ｂ）中の矢印Ｚ１、Ｚ２、Ｚ３などの多方向から不織布をポリゴンミラー２０７に近づけることができる。そのため、実施例１の構成に比べて不織布を近づける方向の自由度が増すため、本実施例の構成のほうが実施例１の構成に比べてサービススタッフはよりポリゴンミラー２０７の反射面の清掃を行い易い。
【００３７】
本実施例のカバー６０３には金属製の部材を用いると良い。金属製の部材を用いることによって、カバー６０３がポリゴンミラー２０７の回転時に生じる熱を吸熱し、その熱が光走査装置１００の外部に放熱される。これによって、光走査装置１００内部の温度上昇が抑制され、レンズ等の熱膨張による画質の低下が抑制される。
【００３８】
また、図８に示すように、カバー６０３のポリゴンミラー２０７の反射面に対向する面の形状をポリゴンミラー２０７の回転方向に沿って湾曲する形状にすると良い。平面のカバー６０３とポリゴンミラー２０７とが近接している構成の場合、ポリゴンミラー２０７が回転するとポリゴンミラー２０７周囲の気圧が不均一になり、気圧が不均一な状態になることによって回転多面鏡の回転速度が微小に変動するおそれが生じる。そこで、図８に示すようにポリゴンミラー２０７の回転方向に沿って湾曲する形状のカバー８０１を用いることが望ましい。カバー８０１を用いることによって、ポリゴンミラー２０７が回転駆動された際にポリゴンミラー２０７周囲に生じる空気の流れがスムーズになり、ポリゴンミラーの回転速度が安定する。カバー８０１の湾曲部の形状は、駆動モータ４０１の回転軸から等しい距離となるように湾曲していることが望ましい。
【００３９】
（実施例３）
図９から図１１を用いて光走査装置の更なる変形例を説明する。図９（ａ）はカバーを取り外した状態の光学箱９０１の斜視図である。図９（ｂ）は、カバー９０２及びカバー９０３が光学箱９０１に取り付けられた状態を示す斜視図である。図９（ｃ）は、カバー９０２が光学箱９０１に取り付けられ、カバー９０３が光学箱９０１から取り外された状態を示す斜視図である。
【００４０】
光学箱９０１にはポリゴンミラー２０７が取り付けられており、図９（ａ）に示すように本実施例の光学箱９０１の外壁の最もポリゴンミラー２０７に近接した部分には開口Ｃ（点線部分）が設けられている。開口Ｃは、複数の反射面のうち開口Ｃに最も近接する反射面の長手方向と所定の方向（図９（ａ）〜（ｃ）に示す主走査方向）とが平行になるようにポリゴンミラー２０７を静止させた場合に、開口の開口面と当該反射面とが正対するように外壁に形成されている。ここで、開口面とは図９（ａ）の点線で囲まれた面である。
【００４１】
開口Ｃはポリゴンミラーに関してレンズや反射ミラーが配置される側とは反対側の外壁に設けられている。そのため、清掃時にサービススタッフが誤ってレンズや反射ミラーに触れる可能性が低い。
【００４２】
画像形成装置に取り付けられる際に光学箱９０１にはカバー９０２とカバー９０３とが取り付けられる。カバー９０３は開口Ｃを閉塞するためのカバーである。サービススタッフは、ポリゴンミラー２０７の反射面を清掃する際にはカバー９０３を光学箱９０１から取り外す。実施例１及び実施例２とは異なり、本実施例の光走査装置のポリゴンミラー２０７は筐体の内部（外壁の内側）に位置している。そのため、サービススタッフは、開口Ｃから不織布を筐体内部に挿入してポリゴンミラー２０７の反射面の拭き取り作業を行う。
【００４３】
開口Ｃの所定の方向（主走査方向）における開口の長さ（幅）は回転多面鏡の反射面の長さ以上である。これによって、回転多面鏡の反射面の１つを開口Ｃに正対させた状態でかつその状態から回転多面鏡を回転させることなく１つの反射面の清掃を行うことがより簡単になる。
【００４４】
図９に示す構成は駆動モータ４０１のローター部４０１ａの一部が筐体外部に位置していない。そのため、サービススタッフはローター部４０１ａを指で回すことができない。そこで、カバー９０２には後述する回転規制部材９０５を筐体内部に挿入するための開口Ｄ（第２の開口）が設けられている。開口Ｄはカバー９０２の回転軸４０１ｃの回転軸線と交差する位置に設けられており、光走査装置が画像形成装置に取り付かれた状態において開口Ｄはカバー９０４によって閉塞されている。
【００４５】
図１０はポリゴンミラー周辺部の断面図である。ポリゴンミラー２０７の反射面の清掃を行う際、サービススタッフは、光学箱９０１にカバー９０２、カバー９０３、及びカバー９０４が取り付けられた状態（図１０（ａ））からカバー９０３及びカバー９０４を取り外す。そして、開口Ｄから回転規制部材９０５を筐体内部に挿入する。ポリゴンミラー２０７の回転軸４０１ｃのカバー９０２側（第１のカバー側）の端面には回転規制部材９０５が嵌合される図示しない切り欠きが設けられている。サービススタッフは、筐体内部に挿入した回転規制部材９０５をその切り欠きに嵌合させる。そのため、回転規制部材９０５を操作することによってポリゴンミラー２０７の反射面を容易に開口Ｃに正対させることができる。
【００４６】
サービススタッフは、回転規制部材９０５を回転させて（例えば、矢印Ｒ方向に回転）開口Ｃの開口面にポリゴンミラー２０７の反射面の１つを正対させる。そして、回転規制部材９０５を静止させることによってポリゴンミラー２０７を静止させ、その状態で不織布を矢印Ｚ方向から筐体内部に挿入し、ポリゴンミラー２０７の反射面の拭き取り作業を行う。続いて、他の反射面を清掃するために回転規制部材９０５を回転させて、次の反射面を開口Ｃの開口面に正対させ、同様に拭き取り作業を行う。
【００４７】
本実施例の構成は、ポリゴンミラーの反射面を清掃するための開口を実施例１及び実施例２の構成に比べて小さくすることができるため、ポリゴンミラー２０７の反射面を清掃する際に筐体内部により塵埃が入り難い構成と云える。
【００４８】
なお、サービススタッフが反射面の清掃を容易に行えるように開口Ｃの大きさは反射面の面積よりも大きい方が望ましい。また、図１１に示すように、開口Ｃと開口Ｄとを同一のカバー１１０１によって閉塞するような構成にしても良い。
【符号の説明】
【００４９】
１００  光走査装置
２０１  光学箱
２０２  カバー
２０３  カバー
２０７  ポリゴンミラー
【図１】
2012215646.tif 000003
【図２】
2012215646.tif 000004
【図３】
2012215646.tif 000005
【図４】
2012215646.tif 000006
【図５】
2012215646.tif 000007
【図６】
2012215646.tif 000008
【図７】
2012215646.tif 000009
【図８】
2012215646.tif 000010
【図９】
2012215646.tif 000011
【図１０】
2012215646.tif 000012
【図１１】
2012215646.tif 000013